(57)【要約】【課題】導光性を有する部材で形成された指針の背後に光源を配置して、その光源からの光を指針に入射することで指針を照明する指針計器において、指針を照明するための光の漏れを抑制できる指針計器を提供する。【解決手段】指針３の基部３２と光源８との間に、指針３と別体の導光部６が設けられる。導光部６は、導光性を有する部材で形成され、指針３の回転軸線Ｌ１から径方向にずれた位置において光源８に対向する位置に環状の受光部６１を有する。導光部６は、受光部６１で受光した光を、回転軸線Ｌ１が位置する中央位置にて集束する形状に形成される。導光部６は中央位置に回転軸線Ｌ１の方向に突出した突出部６３を有する。導光部６のスカート部６２の全範囲を取り囲むように遮光性のカバーバルブ７が導光部６との２色成形品として設けられる。基部３２の背面３３ｂ、指針３のボス部３４及び突出部６３を取り囲む遮光性のカバーバルブ５が設けられる。【選択図】図２
2017207306.tif 000002
【特許請求の範囲】
【請求項１】
導光性を有する部材で形成され、一端側に設定された回転軸線（Ｌ１）の回りに回転することで計測値を指示する指針（３）と、
前記指針の背後において前記回転軸線を中心とした円周上に配置されて前記指針の方向に発光する複数の光源（８）と、
前記指針のうち前記回転軸線が設定される一端側を基部（３２）として、前記基部と前記光源の間の位置において前記指針と別体で設けられるとともに、導光性を有する部材で形成され、前記指針を回転させる駆動部のシャフト（１１１）に接続されて、そのシャフトの回転により前記回転軸線の回りに回転し、前記回転軸線から径方向にずれた位置において前記光源に対向する位置に前記光源からの光を受光する環状の受光部（６１）を有して、前記受光部で受光した各光源からの光を前記回転軸線が位置する中央位置にて集束する形状に形成され、その中央位置にて集束した光を、前記基部の前記回転軸線の位置に設定された指針受光部（３５）まで導く導光部（６）と、
前記光源と前記基部の背面（３３ｂ）の間に存在する導光性を有する部材（６、３４）の外周面に内周面が接触した形でその外周面の全範囲を取り囲むように設けられ、遮光性を有する部材で形成された外周遮光部（７、５１）と、
前記基部の背面を覆うように設けられ、遮光性を有する部材で形成された背面遮光部（５２）と、
を備える指針計器（１）。
【請求項２】
前記基部は、前記回転軸線の位置において背面から突出するボス部（３４）を有し、そのボス部の先端が前記指針受光部とされ、
前記導光部は、前記指針受光部に対向した位置に配置された、前記受光部で受光した光を出射させる出射部（６４）を有して、その出射部を含む一部が前記回転軸線の方向に突出した形状に形成され、
前記導光部のうち前記突出した形状の部分を突出部（６３）、前記受光部から前記突出部に繋がるまでの部分をスカート部（６２）として、
前記外周遮光部は、
筒状に形成されて一端側の開口からは前記ボス部が挿入され、他端側の開口からは前記突出部が挿入される第１遮光部（５１）と、
前記スカート部の外周面に沿った形状を有し、その外周面の全範囲を取り囲むように設けられた第２遮光部（７）とに分割されている請求項１に記載の指針計器。
【請求項３】
前記第２遮光部と前記導光部とは一体成形品である請求項２に記載の指針計器。
【請求項４】
前記第１遮光部と前記背面遮光部は一体成形品である請求項２又は３に記載の指針計器。
【発明の詳細な説明】
【技術分野】
【０００１】
本発明は指針計器に関し、特に照明可能な指針を有した指針計器に関する。
【背景技術】
【０００２】
従来、照明可能な指針を有した指針計器が知られている（例えば特許文献１参照）。この種の指針計器では、指針は導光性を有する部材で形成されて、文字板の背面側に配置された光源からの光を指針に入射して、その入射光を指針の内部を導光させることで、指針を照明する。特許文献１には、指針の基部と光源との間に、光源からの光を基部まで導く導光部を配置した構成が開示されている。
【先行技術文献】
【特許文献】
【０００３】
【特許文献１】特開２００９−９２４６２号公報
【発明の概要】
【発明が解決しようとする課題】
【０００４】
ところで、照明可能な指針を有した構成では、光源からの光が指針受光部に至るまでに漏れたり、指針受光部で受光した光が基部の背面から漏れたりして、その漏れ光が、基部を覆うキャップと文字板との隙間から漏れることで、文字板表面が薄ぼんやりと照らし出されてしまう。そのため、指針の照明領域と、漏れ光を受けた文字板との間で、明暗のコントラスト差が小さくなり、指針の視認性が低下する。また、指針のキャップ外周下に漏れ出した光は均一に照らし出されていないために計器全体の意匠効果を下げてしまう。
【０００５】
本発明は上記問題に鑑みてなされたものであり、導光性を有する部材で形成された指針の背後に光源を配置して、その光源からの光を指針に入射することで指針を照明する指針計器において、指針を照明するための光の漏れを抑制できる指針計器を提供することを課題とする。
【課題を解決するための手段】
【０００６】
上記課題を解決するために、本発明の指針計器（１）は、
導光性を有する部材で形成され、一端側に設定された回転軸線（Ｌ１）の回りに回転することで計測値を指示する指針（３）と、
前記指針の背後において前記回転軸線を中心とした円周上に配置されて前記指針の方向に発光する複数の光源（８）と、
前記指針のうち前記回転軸線が設定される一端側を基部（３２）として、前記基部と前記光源の間の位置において前記指針と別体で設けられるとともに、導光性を有する部材で形成され、前記指針を回転させる駆動部のシャフト（１１１）に接続されて、そのシャフトの回転により前記回転軸線の回りに回転し、前記回転軸線から径方向にずれた位置において前記光源に対向する位置に前記光源からの光を受光する環状の受光部（６１）を有して、前記受光部で受光した各光源からの光を前記回転軸線が位置する中央位置にて集束する形状に形成され、その中央位置にて集束した光を、前記基部の前記回転軸線の位置に設定された指針受光部（３５）まで導く導光部（６）と、
前記光源と前記基部の背面（３３ｂ）の間に存在する導光性を有する部材（６、３４）の外周面に内周面が接触した形でその外周面の全範囲を取り囲むように設けられ、遮光性を有する部材で形成された外周遮光部（７、５１）と、
前記基部の背面を覆うように設けられ、遮光性を有する部材で形成された背面遮光部（５２）と、
を備える。
【０００７】
本発明によれば、指針の基部と光源との間に、指針とは別体の導光部を備えて、その導光部により光源からの光を指針受光部まで導く。光源と基部の背面の間に存在する導光性を有する部材の外周面に内周面が接触した形でその外周面の全範囲を取り囲む外周遮光部を備えている。この外周遮光部の内周面と、導光性を有する部材の外周面とは接触しているので、光源からの光が基部に導かれるまでの間に導光性を有する部材から漏れてしまうのを抑制できる。さらに、基部の背面を覆う背面遮光部も備えているので、指針受光部で受光した光が、基部の背面から漏れてしまうのを抑制できる。このように、本発明では、外周遮光部、背面遮光部により、光源から基部の間、及び基部の背面に亘って遮光できるので、指針を照明するための光が漏れてしまうのを抑制できる。
【図面の簡単な説明】
【０００８】
【図１】指針計器の正面図である。
【図２】図１のＩＩ−ＩＩ線で計器を切ったときの断面図である。
【図３】キャップの側面図である。
【図４】図２のＡ部拡大図である。
【図５】変形例に係る指針計器の断面図である。
【図６】比較例の指針計器の断面図である。
【発明を実施するための形態】
【０００９】
以下、本発明の実施形態を図面を参照しながら説明する。図１、図２に示す計器１は、車両の運転手が視認できる位置（例えば、車室内の運転席に対向する位置）に搭載されて、車両の状態（車速、エンジン回転数等）を指針にて指示する形で表示する装置である。なお、計器１は、例えば、計器１の表示領域の隣に他の車両状態の表示領域を有したコンビネーションメータの一部として構成されている。以下、計器１の構成の詳細を説明する。
【００１０】
図２に示すように、計器１は、ポリカーボネート板材などの光を透過する透過性板（透明板）から構成された文字板２を備えている。文字板２の表面（目視者側の面）には、後述する指針３の回転方向に沿って、計測対象となる車両状態（例えば車速、エンジン回転数など）を示す指標部（図示外）が形成されている。その指標部は、指針３の回転軸線Ｌ１（図２参照）を中心とした円弧状又は円状に形成されている。指標部は数字と目盛とから構成されている。文字板２の表面は、指標部を含む照明部以外の部分が遮光性のインク材料で印刷されている。言い換えると、文字板２の照明部は光を透過し、それ以外の部分は遮光する。なお、この遮光性のインク材料の印刷層は、文字板２の背面に形成されたとしても良い。
【００１１】
文字板２の表面側には指針３が配置されている。指針３は、アクリル樹脂、ポリカーボネート等の導光性を有する部材、言い換えると光を透過する部材で形成されている。指針３は、一端側を基点として文字板２の表面に平行に回転可能に設けられる。指針３は、回転軸線Ｌ１が設定される一端側が遮光性のキャップ４に覆われている。指針３のキャップ４で覆われた部分を基部３２、キャップ４から露出した部分を指示部３１として、基部３２の背面３３ｂには、背面３３ｂに直角方向に突出するボス部３４が形成されている。そのボス部３４は、計器１を図１の正面から見たときに指示部３１の中心線Ｌ２上の位置Ｏに形成される。さらに、図１の正面から見たときのボス部３４の形成位置Ｏは、例えば正面視円形のキャップ４の中心位置に設定される。
【００１２】
ボス部３４は、内部に空洞部が存在しない形状に形成されるとともに、例えば図２の紙面に垂直な平面で切ったときの断面が円状となる形状に形成される。またボス部３４は軸方向のどの位置においても一定径となる形状つまり円柱状に形成される。ボス部３４の径は、遮光性の筒状部５１の内径と同じに設定されている。そして、ボス部３４は筒状部５１の一端側の開口から挿入されている。
【００１３】
ボス部３４の中心軸線が指針３の回転軸線Ｌ１となる。また、ボス部３４の先端部３５は、回転軸線Ｌ１に直角な平面状に形成されている。なお、先端部３５の外周には面取りが施されている。先端部３５が、後述する導光部６からの光を受光する指針受光部として機能する。
【００１４】
基部３２の上面（目視者側の面）のうち指針受光部３５にボス部３４を間に挟んで対向する部分、言い換えると回転軸線Ｌ１が位置する中央部分には、指針受光部３５で受光した光が入射されて、その入射光を指示部３１側に反射する反射面３７が形成されている。反射面３７は、入射光を直角方向に反射させるよう、ボス部３４の中心軸線に対して所定角度（例えば４５度程度）の傾斜面に形成される。また、反射面３７は、ボス部３４で受光した全ての光を指示部３１側に反射するように、ボス部３４の径と同じかそれ以上の範囲に亘って形成されている。さらに、反射面３７は、反射面３７のどの位置で光が入射したとしても、指示部３１の側に反射させるように傾斜角度はどの位置であっても同じ角度に設定されている。
【００１５】
反射面３７にて直角方向に反射した光を指示部３１の目視者側の面３６（表面）に効率的に当てるために、その面３６は、先端にいくにしたがって次第に背面３３ａとの間隔が短くなるように若干の傾斜が付けられた形状に形成されている。また、目視者側の面３６は、その面３６から光を出射可能とするために光が透過可能に形成されている。これによって、指示部３１は照明可能となる。一方、指示部３１の背面３３ａは、ボス部３４の中心軸線に対して直角な面に形成されている。また、背面３３ａからの光の漏れを抑制するために、背面３３ａには遮光性を有する材料が印刷されている。なお、基部３２における背面３３ｂには遮光性を有する材料は印刷されていないが、印刷されていたとしても良い。
【００１６】
図１の正面から見て、指示部３１の中心線Ｌ２に直交し、かつボス部３４の形成位置Ｏを通る線Ｌ３で基部３２を２つの領域に分けたときに、基部３２は、その２つの領域のうち指示部３１側とは反対側の領域に厚肉部３８（図２参照）を有する。厚肉部３８は、後述する熱カシメ５４が行われる位置（図１では、位置Ｏを基準にして、指示部３１との角度が１８０度の位置Ｐ１と、±９０度の位置Ｐ２、Ｐ３の３箇所）のみに形成されたとしても良いし、それら位置Ｐ１、Ｐ２、Ｐ３に加えてそれ以外の角度位置に形成されたとしても良い。厚肉部３８は反対側の指示部３１との重量バランスをとるための部分である。厚肉部３８により、回転軸線Ｌ１を中心とした指針３の重量バランスをとることができ、指針３を回転軸線Ｌ１の回りに滑らかに回転させることが可能となる。
【００１７】
厚肉部３８には、表面から背面までを貫通する貫通孔３９が形成されている。その貫通孔３９は回転軸線Ｌ１に平行に形成される。貫通孔３９は、図１に示す３つの角度位置Ｐ１、Ｐ２、Ｐ３に形成されている。各貫通孔３９には、後述の上側カバーバルブ５に形成されたボス部５３が挿入されている。そのボス部５３の先端に熱カシメ５４が施されることで、指針３と上側カバーバルブ５とは固定されている。
【００１８】
基部３２はキャップ４で覆われている。そのキャップ４はＰＰ（ポリプロピレン）樹脂、ＡＢＳ樹脂等の遮光性を有する部材で例えば黒色に形成されている。キャップ４は、図１の正面視で円形に形成されており、さらに正面側が閉塞され、背面側が開口した形状に形成されている。図３に示すように、キャップ４の側面部４１には、キャップ４から指示部３１を露出させるためのスリット４４（図２も参照）が形成されている。そのスリット４４は、キャップ４の背面側（開口側）に開いた形状に形成されている。そして、キャップ４の組付けは、キャップ４を基部３２の上から被せる形で行われ、この際に、指示部３１がスリット４４を通ることで、指示部３１と側面部４１とが干渉せずに、キャップ４を組み付けることが可能となる。
【００１９】
また、図２、図４に示すように、側面部４１の内周面における、キャップ４の開口縁４３付近には、その内周面から突出した凸部４２が形成されている。凸部４２は、側面部４１の内周面の円周方向に複数箇所に形成されている。その凸部４２は、上側カバーバルブ５の背面遮光部５２を固定するための爪部として機能する。
【００２０】
凸部４２は、背面遮光部５２の外周部に掛けられる水平面部４２ａと、その水平面部４２ａの先端に一端が接続して、他端が水平面部４２ａよりも開口縁４３に近い位置で側面部４１の内周面に接続する斜面部４２ｂとを有した三角柱状に形成されている。キャップ４を組み付ける際には、背面遮光部５２の外周部が斜面部４２ｂに接触することで側面部４１を径方向外側に若干押し広げながらキャップ４の組付けが可能となっている。そして、最終的に、水平面部４２ａに背面遮光部５２の外周部が載る位置までキャップ４を基部３２の上から被せることが可能となっている。
【００２１】
このように、凸部４２に背面遮光部５２の外周部が掛けられることで、キャップ４と上側カバーバルブ５とは固定される。なお、上側カバーバルブ５と指針３とは熱カシメ５４により固定されているので、結局、キャップ４、上側カバーバルブ５及び指針３は相互に固定される。これにより、指針３の回転に連動して、キャップ４及び上側カバーバルブ５も回転する。
【００２２】
なお、キャップ４の開口縁４３と文字板２との間には、干渉防止のために例えば０．７ｍｍ程度の安全ギャップ１２０（図２参照）が設定されている。
【００２３】
キャップ４の内部には基部３２の他に上側カバーバルブ５が配置されている。上側カバーバルブ５は、ＰＰ（ポリプロピレン）樹脂、ＡＢＳ樹脂等の遮光性を有する部材で例えば黒色の板状に形成されている。なお、上側カバーバルブ５は、導光性を有する部材に接触した部分における光の反射効率を上げるために、遮光性を有する部材のうちでも反射効率の高い部材（例えば白色部材）で形成されたとしても良い。また、上側カバーバルブ５は、導光性を有する部材に接触した内周面は白色部材で形成され、他の部分は黒色部材で形成されたとしても良い。さらに、上側カバーバルブ５の内周面に、反射効率を高めるために鏡面仕上げを施しても良い。
【００２４】
上側カバーバルブ５は、筒状に形成されてその中心軸線が指針３の回転軸線Ｌ１に一致するように配置される筒状部５１を有する。筒状部５１は、その中心軸線に沿ったどの位置でも径が一定の、例えば円筒状に形成される。筒状部５１の内径は、ボス部３４及び後述の突出部６３の径と同じに設定される。筒状部５１の両端には開口が形成されており、一方の開口からはボス部３４が挿入され、他方の開口からは突出部６３が挿入されている。
【００２５】
ここで、後述の導光部６、上側カバーバルブ５及び指針３が一体に回転するように、突出部６３と筒状部５１とは、回転軸線Ｌ１の回りに相対的な回転が不能に固定されている。突出部６３及び筒状部５１の固定はどの方法でも良いが、例えば突出部６３の外周面と筒状部５１の内周面とが圧力が加えられた状態で突出部６３が筒状部５１に挿入される圧入とすることができる。または、突出部６３の外周面と筒状部５１の内周面の一方に凸部を設け、他方に凹部を設けて、それら凸部、凹部の嵌合により、突出部６３及び筒状部５１を固定しても良い。
【００２６】
なお、上側カバーバルブ５と指針３とは熱カシメ５４により固定されているので、ボス部３４と筒状部５１とは固定されていなくても良いし、突出部６３及び筒状部５１の固定と同様の方法（例えば圧入や凸部、凹部の嵌合など）で固定されたとしても良い。
【００２７】
また、筒状部５１の長さは、一端がキャップ４の内側に位置し、他端が後述のケース１０により形成される区画１０４の内側に位置する長さに設定されている。さらに、筒状部５１の長さは、指針受光部３５と、突出部６３の先端部６４との間隔が所定値となる長さに設定される。その所定値がゼロの場合には、指針受光部３５と先端部６４とは接触することを意味する。
【００２８】
なお、文字板２及びケース１０の前面部１０２にはそれぞれ開口２１、１０５が形成されている。それら開口２１、１０５は互いに重なる位置に形成される。開口２１、１０５の内側に筒状部５１が配置されている。つまり、筒状部５１は、文字板２及び前面部１０２の表面、裏面間を貫通する形に設けられている。
【００２９】
上側カバーバルブ５は、基部３２の背面３３ｂの全範囲を覆う背面遮光部５２を有する。背面遮光部５２は、筒状部５１のボス部３４が挿入される側の端部と接続されている。背面遮光部５２は、筒状部５１の軸線に対して直角な方向に形成され、別の言い方をすると、キャップ４の内側において背面３３ｂに対向するよう水平方向に延びた平板状に形成される。背面遮光部５２は、例えば図１の正面から見たときにキャップ４の正面形状と同様に正面視円形に形成される。背面遮光部５２は少なくとも基部３２の貫通孔３９の位置で基部３２の背面３３ｂに接触している。図２では、貫通孔３９の位置以外の位置では、背面遮光部５２と背面３３ｂとの間に若干の隙間を有した例を示しているが、その隙間が無いとしても良い。
【００３０】
背面遮光部５２の、貫通孔３９と接触した位置には、貫通孔３９と同径又は若干小さい径のボス部５３が形成されている。上述したように、ボス部５３が貫通孔３９に挿入されて、ボス部５３の先端に熱カシメ５４が施されている。また、上述したように、背面遮光部５２の外周部は、凸部４２によりキャップ４に固定されている。
【００３１】
上側カバーバルブ５は、筒状部５１の突出部６３が挿入される側の端部に接続される形で、筒状部５１の軸線に対して直角な方向に突出したフランジ部５５を有する。言い換えると、筒状部５１の突出部６３が挿入される側の端部は、突出部６３の外周面に沿った方向とは異なる方向に張り出した形状５５に形成される。フランジ部５５の突出量は、導光部６の、上側カバーバルブ５と下側カバーバルブ７との境界部６８からの漏れ光を遮断できるように少なくとも後述の下側カバーバルブ７の先端部７２を覆う位置に設定される。
【００３２】
本実施形態では、筒状部５１、背面遮光部５２、ボス部５３及びフランジ部５５は一体成形品としているが、それらの一部又は全部を別体で形成して、カシメ等の固定手段で固定することで一体品としても良い。
【００３３】
文字板２の背面側には、ＰＰ（ポリプロピレン）樹脂、ＡＢＳ樹脂等の遮光性を有する部材で形成されたケース１０が配置されている。そのケース１０は、文字板２の背面に沿って設けられて文字板２を支持する前面部１０２と、後述の基板９と前面部１０２との間を架け渡す形、かつ、後述の光源８の周囲を取り囲む形に設けられて、光源８からの光を反射するリフレクタとして機能する側壁部１０３とを有する。これら前面部１０２、側壁部１０３は一体成形品とされているが、別体で形成されたとしても良い。側壁部１０３の内側に、光源８、導光部６及び下側カバーバルブ７が配置される区画１０４が形成される。
【００３４】
また、文字板２の背面側には各種部品を実装した基板９が配置されている。その基板９は、文字板２と所定間隔を空けて文字板２と平行に配置される。基板９の表面（文字板２側の面）には、指針３を照明するための複数の光源８が実装されている。光源８は例えばＬＥＤ（Light Emitting Diode、発光ダイオード）である。各光源８は回転軸線Ｌ１を中心とした円周方向に等間隔で配置される。また、光源８は、指針３の方向、言い換えると文字板２の方向に発光するように設けられる。光源８は必要に応じた個数だけ設けられるが、例えば４個とすることができる。
【００３５】
なお、基板９には、指針照明用の光源８の他に、文字板２の指標部等を照明するための光源も実装されている。
【００３６】
また、基板９の背面には指針３を回転させるための駆動部として機能するムーブメント１１０（モータ）が実装されている。基板９には、回転軸線Ｌ１の位置に貫通孔９１が形成されている。その貫通孔９１に、ムーブメント１１０のシャフト１１１（回転軸）が挿入されている。そして、シャフト１１１は、回転軸線Ｌ１の位置において基板９から文字板２の方向に突出した形に設けられる。
【００３７】
基板９には、計器１の動作を制御する制御部（図示外）も実装されている。制御部は、車両状態を計測するセンサから計測値を取得して、その計測値に応じた量だけ指針３が回転するようにムーブメント１１０を制御する。また、制御部は光源８の発光を制御する。
【００３８】
光源８とボス部３４（基部３２）の間には、光源８からの光を指針受光部３５まで導く導光部６が配置されている。導光部６は、アクリル樹脂、ポリカーボネート等の導光性を有する部材で形成されている。導光部６は、指針３とは別体で設けられている。導光部６は、回転軸線Ｌ１から径方向にずれた位置において各光源８に対向する位置に光源８からの光を受光する受光部６１を有する。その受光部６１は、正面から見ると、複数の光源８の配列方向である円周方向に沿った形状、つまり回転軸線Ｌ１を中心とした円形（環状）に形成されている。また、受光部６１と光源８との間隔は小さい方が好ましく、例えば１ｍｍ程度に設定される。
【００３９】
突出部６３の中心軸線を導光部６の中心軸線としたとき、導光部６は、受光部６１からの一部６２ａが、指針３側の方向かつ導光部６の中心軸線に平行に延びた形状に形成される。また、その平行に延びた部分６２ａを平行部として、導光部６は、平行部６２ａの、受光部６１と反対側の端部に一端が接続して、指針３側に近づくにしたがって次第に回転軸線Ｌ１が位置する中央位置に近づいていく傾斜部６２ｂを有する。その傾斜部６２ｂの、平行部６２ａが接続される側と反対側の端部が、中央位置に形成された例えば円柱状の軸部６７の側面に接続されている。
【００４０】
なお、平行部６２ａ及び傾斜部６２ｂをスカート部６２として、そのスカート部６２の内側には、シャフト１１１を配置するための空間が形成されている。スカート部６２を、導光部６の中心軸線に直交する平面で切ったときの断面は、導光部６の中心軸線を中心とした円形となっている。その断面の径は、指針３側に近づくにしたがって次第に小さくなっていき、最終的に突出部６３の径と同じとなる。
【００４１】
軸部６７の、傾斜部６２ｂとの接続部より指針３側の部分６３は、回転軸線Ｌ１と一致した位置に中心軸線を有して回転軸線Ｌ１の方向に突出した形状に形成される。言い換えると、導光部６は、傾斜部６２ｂと軸部６７との接続部から上方向（指針３側の方向）に突出する上側突出部６３を有する。上側突出部６３が筒状部５１に挿入されている。上側突出部６３の先端部６４は、上側突出部６３の中心軸線、言い換えると指針３の回転軸線Ｌ１に直角な平面状に形成される。なお、先端部６４の外周は面取りが施されている。先端部６４は、受光部６１で受光し、導光部６内を進行した光の出射部として機能する。出射部６４と指針受光部３５とは、隙間を有した形で又は接触した形で対向した位置関係に配置される。また、上側突出部６３の内部には空洞部が形成されていない。
【００４２】
軸部６７の、傾斜部６２ｂとの接続部より光源８側の部分６５は、回転軸線Ｌ１と一致した位置に中心軸線を有して回転軸線Ｌ１の方向に突出した形状に形成される。言い換えると、導光部６は、傾斜部６２ｂと軸部６７との接続部から下方向（光源８側の方向）に突出する下側突出部６５を有する。下側突出部６５の先端面の中心位置には、シャフト挿入孔６６が形成されている。そのシャフト挿入孔６６は、下側突出部６５の中心軸線の方向に所定の深さを有している。シャフト挿入孔６６には、ムーブメント１１０のシャフト１１１が圧入されている。これにより、シャフト１１１の回転に連動して、導光部６及びこれに接続した上側カバーバルブ５、指針３及び後述の下側カバーバルブ７が回転軸線Ｌ１の回りに回転可能となる。
【００４３】
スカート部６２の外周面の全範囲を取り囲むように下側カバーバルブ７が設けられている。下側カバーバルブ７は、スカート部６２の外周面に沿った形状を有して、下側カバーバルブ７の内周面がスカート部６２の外周面に接触した形で設けられる。下側カバーバルブ７と導光部６とは２色成形品（一体成形品）である。なお、下側カバーバルブ７と、導光部６とは別体で形成して、それらをカシメ等の固定手段で固定することで一体品としても良い。
【００４４】
下側カバーバルブ７は、ＰＰ（ポリプロピレン）樹脂、ＡＢＳ樹脂等の遮光性を有する部材で例えば黒色の板状に形成されている。なお、下側カバーバルブ７は、光の反射効率を上げるために、遮光性を有する部材のうちでも特に反射効率の高い部材（例えば白色部材）で形成されたとしても良い。また、下側カバーバルブ７は、内周面は白色部材で形成され、他の部分は黒色部材で形成されたとしても良い。さらに、下側カバーバルブ７の内周面に、反射効率を高めるために鏡面仕上げを施しても良い。その鏡面仕上げは、２色成形を行うための型の表面凹凸を小さくすることで実現できる。
【００４５】
下側カバーバルブ７の、受光部６１側の端部には、回転軸線Ｌ１を中心とした円における径方向外側に突出したフランジ部７１が形成されている。このフランジ部７１は、光源８からの光が、下側カバーバルブ７の外側に漏れるのを抑制するためのものである。なお、図２の破線部７３で示すように、フランジ部７１の先端から直角方向かつ基板９側に折れ曲がった形状を形成しても良い。これによれば、より一層、光源８の漏れ光を抑制できる。
【００４６】
また、下側カバーバルブ７の先端部７２（突出部６３側の端部）のみはスカート部６２の外周面に非接触に設けられる。その先端部７２は、回転軸線Ｌ１に平行方向に延びている。言い換えると、先端部７２は、導光部６の外周面に沿った方向とは異なる方向に張り出した形状に形成される。先端部７２は、上側カバーバルブ５のフランジ部５５に覆われる位置に設けられている。導光部６の、上側、下側カバーバルブ５、７の境界部６８を完全に遮光性部材で接触させることは困難であるが、先端部７２及びフランジ部５５により境界部６８の周囲を覆うことができ、境界部６８からの漏れ光を抑制できる。漏れ光の抑制の観点から、先端部７２とフランジ部５５の隙間はできるだけ小さい方が好ましい。
【００４７】
なお、導光部６（スカート部６２）の内周面には遮光性のカバーバルブは配置されていない。これは、導光部６の内周面から光が漏れたとしても、その漏れ光が文字板２の表面側まで進行することは想定しにくいためである。ただし、指針３の照明効率を上げるために、導光部６の内周面にも遮光性のカバーバルブを設けたとしても良い。
【００４８】
なお、下側カバーバルブ７及び筒状部５１が本発明の外周遮光部に相当する。また、筒状部５１が本発明の第１遮光部に相当する。下側カバーバルブ７が第２遮光部に相当する。
【００４９】
各部品の組付けは例えば以下のように行う。すなわち、導光部６と下側カバーバルブ７との２色成形品をシャフト１１１に圧入固定する。また、指針３と上側カバーバルブ５とを熱カシメ５４で一体品とする。その後、２色成形品６、７の突出部６３を、一体品３、５の筒状部５１に圧入固定する。また、キャップ４は、２色成形品６、７と一体品３、５とを固定した後、又は固定前に、一体品３、５の基部３２の上から被せるように固定する。
【００５０】
次に、本実施形態の作用効果を説明する。制御部は、車両状態の計測値をセンサから取得して、その計測値に応じた量だけムーブメント１１０のシャフト１１１を回転させる。指針３は、導光部６及び上側カバーバルブ５を介してシャフト１１１に間接的に接続されているので、シャフト１１１の回転に同期して計測値を示す指標位置まで回転する。
【００５１】
また、制御部は、指針３を照明するために、各光源８を発光させる。図２では光源８から発光された光の進行を一点鎖線の矢印で示している。光源８からの光は受光部６１から導光部６内に入射される。このとき、光源８からの光の一部が受光部６１の位置から横にそれたとしてもフランジ部７１に当たることで、漏れ光を弱めることができ、結果、光が文字板２の表面側に漏れてしまうのを抑制できる。
【００５２】
受光部６１で受光した光は、最初はスカート部６２内を進行して、最終的に中央位置の突出部６３に集束される。このとき、受光部６１から突出部６３までの間にはスカート部６２の外周面に接触した形で下側カバーバルブ７が設けられるので、スカート部６２から光が漏れてしまうのを抑制できるとともに、下側カバーバルブ７の内周面にて光をスカート部６２の内部側に効率的に反射させることができる。また、受光部６１は環状に形成されているので、シャフト１１１の回転に同期して導光部６が回転したとしても、各光源８からの光を受光部６１で受光することができる。
【００５３】
突出部６３に集束された光は、突出部６３の先端部６４から出射する。その出射光は指針受光部３５からボス部３４に入射される。このとき、突出部６３及びボス部３４は、外周面の全範囲が接触した形で遮光性の筒状部５１に囲まれているので、突出部６３及びボス部３４から光が漏れてしまうのを抑制できる。
【００５４】
ボス部３４内を進行した光は反射面３７により指示部３１側に反射される。反射した光は、指示部３１内を進行し、指示部３１の表面３６から出射する。以上により指示部３１は照明する。
【００５５】
このように、本実施形態では、シャフト１１１に接続する導光部６と指針３とを別部品化しているので、受光部６１を光源８の近くに位置させる形状を容易に形成できる。受光部６１を光源８の近くに位置させることで、光源８からの光を受光部６１で効率的に受光させることができ、指針３の照明輝度を向上できる。仮に、シャフトに接続する導光部と、指針とを一体成形品で形成しようとすると、受光部を光源の近くに位置させる形状を形成することは技術的に困難である。
【００５６】
また、光源８と基部３２の背面３３ｂの間に存在する導光性部材６、３４の外周面に接触した形でその外周面の全範囲を取り囲むとともに、背面３３ｂを覆うように、遮光性部材７、５が設けられるので、導光性部材６、３４及び背面３３ｂから光が漏れてしまうのを抑制できる。これにより、キャップ４と文字板２との隙間１２０から光が漏れてしまうのを抑制でき、指針３の照明と文字板２との間の明暗のコントラスト差を大きくできる。よって、指針３の視認性を向上できるとともに、計器１の意匠効果を向上できる。
【００５７】
また、導光部６と指針３とを別部品化することで、導光部６、ボス部３４及び背面３３ｂを覆う遮光性部材を上側カバーバルブ５と下側カバーバルブ７とに分割した構成を採用できる。上側カバーバルブ５と下側カバーバルブ７とに分割することで、導光部６、ボス部３４及び背面３３ｂの全範囲を遮光性部材で覆う形状を容易に形成できる。
【００５８】
また、上側カバーバルブ５と下側カバーバルブ７との境界部に、導光部６の外周面に沿った方向とは異なる方向（横方向及び上方向）に張り出した張出部５５、７２を形成したので、境界部からの光の漏れを抑制できる。また、この境界部を、文字板２の背面側（ケース１０内）に設けているので、張出部５５、７２の形成スペースを容易に確保できる。
【００５９】
また、導光部６と指針３とを別部品化することで、シャフト１１１が挿入されるシャフト挿入孔６６に対する成形前後の収縮、膨張、歪の影響を小さくできる。これにより、シャフト挿入孔６６の不良を抑制でき、指針３のぐらつき等を抑制できる。これに対して、導光部と指針とを一体品とすると、指針のボス部を長くしてそのボス部にシャフト挿入孔が形成されることになるので、シャフト挿入孔が形成される部分（ボス部）の長さが長くなる分、収縮、膨張、歪の影響を受けやすくなる。
【００６０】
また、各光源８からの光は最終的に回転軸線Ｌ１が位置する中央位置に集束した後、指針３に入射するので、各光源８の光を別々の位置から入射する構成に比べて、周囲に光が漏れてしまうのを抑制できる。
【００６１】
また、導光部６と下側カバーバルブ７は２色成形品（一体成形品）としているので、導光部６の外周面と下側カバーバルブ７の内周面との接触部分の全範囲を強固に接着できる。これにより、導光部６からの光の漏れを抑制できる。
【００６２】
また、上側カバーバルブ５において筒状部５１と背面遮光部５２とは一体成形品としているので、筒状部５１と背面遮光部５２との境界部から光が漏れてしまうのを抑制できる。
【００６３】
ここで、図６は、比較例として、シャフトに接続する導光性部材と、指針とを一体成形品で形成した例を示している。図６の計器２００では、指針２０１のボス部２０２に、ムーブメントのシャフト２０３が接続されている。シャフト２０３に接続する分、ボス部２０２を長くしなければいけないので、シャフト挿入孔に対する収縮、膨張、歪の影響を受けやすい。また、文字板２０８及びケース２０９に形成された、ボス部２０２を通すための開口２１０の外周には、遮光性の筒状カバーバルブ２０５が設けられる。光源２０４からの光は、筒状カバーバルブ２０５内を通って指針２０１の基部の背面に入射する。このとき、各光源２０４からの光は、基部背面の別々の位置から入射するので、あらゆる方向に光が反射してしまい、周囲に光が漏れやすくなる。また、光源２０４と指針２０１との間には、筒状カバーバルブ２０５しか設けられていないので、漏れ光が多くなり、文字板２０８とキャップ２０７との間の隙間から光が漏れやすい。
【００６４】
なお、本発明は上記実施形態に限定されるものではなく、特許請求の範囲の記載を逸脱しない限度で種々の変形が可能である。例えば、上記実施形態では、下側カバーバルブ７は、スカート部６２だけを取り囲んでいたが、図５に示すように、導光部６の外周面の全範囲を取り囲むとともに、指針３のボス部３４の全範囲または一部を取り囲むように形成しても良い。図５では、下側カバーバルブ７は、突出部６３及びボス部３４が挿入される筒状部７４を有する。図５の例では、筒状部７４によりボス部３４の全範囲が取り囲まれている例を示している。図５の上側カバーバルブ５は、基部３２の背面３３ｂを覆う背面遮光部のみから構成されている。これによっても上記実施形態と同様の作用効果が得られる。
【符号の説明】
【００６５】
１  指針計器、３  指針、３２  指針の基部、３３ｂ  基部の背面、３４  指針のボス部、３５  指針受光部、５  上側カバーバルブ、５１  筒状部、５２  背面遮光部、６  導光部、６１  受光部、７  下側カバーバルブ、８  光源、１１１  ムーブメントのシャフト、Ｌ１  指針の回転軸線
【図１】
2017207306.tif 000003
【図２】
2017207306.tif 000004
【図３】
2017207306.tif 000005
【図４】
2017207306.tif 000006
【図５】
2017207306.tif 000007
【図６】
2017207306.tif 000008